(57)【要約】【課題】施錠状態にある遊技盤保持枠や透過部材保持枠のがたつきを軽減することにより、不正対策の強化が図られる遊技機の施錠機構を提供する。【解決手段】支持体２には、透過部材保持枠５と遊技盤保持枠６とが回転可能に枢支されている。支持体２の開放側の側辺２ｄには、シリンダＳと、シリンダＳに挿入された鍵の操作に連動して施錠位置から解錠位置へと移動する第１係止部材６２、第２係止部材６３とが設けられている。遊技盤保持枠６には、それを閉じたときに施錠位置にある第１係止部材６２が係止する第１被係止部４６が設けられ、透過部材保持枠５には、それを閉じたときに施錠位置にある第２係止部材６３が係止する第２被係止部３５が設けられている。鍵を回転させると、第１係止部材６２、第２係止部材６３が解錠位置へ移動して解錠される。【選択図】図１２
2010253039.tif 000002
【特許請求の範囲】
【請求項１】
四辺を有する支持体に、遊技盤を保持する遊技盤保持枠と、上記遊技盤の前面を覆う透過部材を保持する透過部材保持枠とがそれぞれ回転可能に枢支され、上記遊技盤保持枠および透過部材保持枠が、上記支持体の四辺の前面に対して略平行な状態を維持したときに、これら遊技盤保持枠および透過部材保持枠が上記支持体に施錠される遊技機の施錠機構において、
上記遊技盤保持枠および透過部材保持枠の開放側に位置する上記支持体の側辺には、
鍵が挿入される鍵穴を有するシリンダと、
上記鍵穴に挿入された鍵の操作に連動して可動する連係部材と、
該連係部材に連係するとともに、上記鍵穴に挿入された鍵の操作に連動して、少なくとも施錠位置から解錠位置へと移動する第１係止部材および第２係止部材と、が設けられ、
上記遊技盤保持枠には、上記支持体の四辺の前面に対して略平行な状態を維持したときに、上記解錠位置から施錠位置に移動した第１係止部材が係止して当該遊技盤保持枠が施錠される第１被係止部が設けられ、
上記透過部材保持枠には、上記支持体の四辺の前面に対して略平行な状態を維持したときに、上記解錠位置から施錠位置に移動した第２係止部材が係止して当該透過部材保持枠が施錠される第２被係止部が設けられ、
上記遊技盤保持枠および透過部材保持枠が施錠された状態で、上記鍵穴に挿入された鍵の操作によって上記第１係止部材および第２係止部材が施錠位置から解錠位置へ移動したとき、上記第１係止部材と第１被係止部との係止関係および第２係止部材と第２被係止部との係止関係が断たれて、上記遊技盤保持枠および透過部材保持枠が開放可能となることを特徴とする遊技機の施錠機構。
【請求項２】
上記第１係止部材および第２係止部材は、それぞれ独立して可動することを特徴とする請求項１記載の遊技機の施錠機構。
【請求項３】
上記連係部材は、鍵穴から挿入された鍵の所定の操作によって上記第１係止部材および第２係止部材の双方を施錠位置から解錠位置へ移動させ、上記所定の操作とは異なる操作によって上記第２係止部材のみを施錠位置から解錠位置へ移動させることを特徴とする請求項２に記載の遊技機の施錠機構。
【請求項４】
上記連係部材は、鍵穴から挿入された鍵が一方に回転したときに上記第１係止部材および第２係止部材の双方を施錠位置から解錠位置へ移動させ、鍵穴から挿入された鍵が他方に回転したときに上記第２係止部材のみを施錠位置から解錠位置へ移動することを特徴とする請求項３に記載の遊技機の施錠機構。
【発明の詳細な説明】
【技術分野】
【０００１】
本発明は、遊技盤を保持する遊技盤保持枠およびガラス等を保持する透過部材保持枠を支持体に施錠する遊技機の施錠機構に関する。
【背景技術】
【０００２】
特許文献１に示すように、従来の遊技機においては、遊技盤を保持する遊技盤保持枠と、遊技盤の前面を覆うガラスなどからなる透過部材を保持する透過部材保持枠とが支持体に枢支されており、何らかの不具合が生じた際には、遊技盤保持枠や透過部材保持枠を開放してメンテナンスが行われる。こうした遊技機には、当然のことながら施錠機構が設けられているが、遊技盤保持枠の開放と透過部材保持枠の開放とは独立して行われるようにしている。一般的には、支持体と透過部材保持枠との間に遊技盤保持枠が挟持されており、遊技盤保持枠とその前面に位置する透過部材保持枠とが相互に施錠され、遊技盤保持枠とその背面に位置する支持体とが相互に施錠されることで、遊技機の施錠が行われる。
【先行技術文献】
【特許文献】
【０００３】
【特許文献１】特開２００９−２２５３５号公報
【発明の概要】
【発明が解決しようとする課題】
【０００４】
遊技盤保持枠は、遊技盤や液晶表示器さらには制御基板等さまざまな部品が取り付けられているため重量が大きく、支持体に対してどうしてもがたつきが生じてしまう。上記の施錠機構においては、こうしたがたつきが生じやすい遊技盤保持枠を介して、透過部材保持枠が支持体に施錠されるため、施錠状態において、透過部材保持枠もがたつきやすくなってしまう。このようにして透過部材保持枠ががたつくことにより、透過部材保持枠と遊技盤保持枠との間に生じる隙間に工具等を侵入させて不正が行われてしまうといった問題があった。
特に、上記のように遊技盤保持枠の前面と透過部材保持枠とを施錠し、遊技盤保持枠の背面と支持体とを施錠する場合には、シリンダの鍵穴に挿入された鍵に連動して解錠動作または施錠動作をする施錠機構が遊技盤保持枠に設けられる。そのため、遊技盤保持枠の重量が一層大きくなってしまい、透過部材保持枠や遊技盤保持枠のさらなるがたつきをもたらすという問題があった。
【０００５】
本発明は、施錠状態にある遊技盤保持枠や透過部材保持枠のがたつきを軽減することにより、不正対策の強化が図られる遊技機の施錠機構を提供することを目的とする。
【課題を解決するための手段】
【０００６】
本発明は、四辺を有する支持体に、遊技盤を保持する遊技盤保持枠と、上記遊技盤の前面を覆う透過部材を保持する透過部材保持枠とがそれぞれ回転可能に枢支され、上記遊技盤保持枠および透過部材保持枠が、上記支持体の四辺の前面に対して略平行な状態を維持したときに、これら遊技盤保持枠および透過部材保持枠が上記支持体に施錠される遊技機の施錠機構を前提とする。
そして、請求項１に記載の発明は、上記遊技盤保持枠および透過部材保持枠の開放側に位置する上記支持体の側辺には、鍵が挿入される鍵穴を有するシリンダと、上記鍵穴に挿入された鍵の操作に連動して可動する連係部材と、該連係部材に連係するとともに、上記鍵穴に挿入された鍵の操作に連動して、少なくとも施錠位置から解錠位置へと移動する第１係止部材および第２係止部材と、が設けられ、上記遊技盤保持枠には、上記支持体の四辺の前面に対して略平行な状態を維持したときに、上記解錠位置から施錠位置に移動した第１係止部材が係止して当該遊技盤保持枠が施錠される第１被係止部が設けられ、上記透過部材保持枠には、上記支持体の四辺の前面に対して略平行な状態を維持したときに、上記解錠位置から施錠位置に移動した第２係止部材が係止して当該透過部材保持枠が施錠される第２被係止部が設けられ、上記遊技盤保持枠および透過部材保持枠が施錠された状態で、上記鍵穴に挿入された鍵の操作によって上記第１係止部材および第２係止部材が施錠位置から解錠位置へ移動したとき、上記第１係止部材と第１被係止部との係止関係および第２係止部材と第２被係止部との係止関係が断たれて、上記遊技盤保持枠および透過部材保持枠が開放可能となることを特徴とする。
【０００７】
請求項２に記載の発明は、上記第１係止部材および第２係止部材が、それぞれ独立して可動することを特徴とする。
【０００８】
請求項３に記載の発明は、上記連係部材が、鍵穴から挿入された鍵の所定の操作によって上記第１係止部材および第２係止部材の双方を施錠位置から解錠位置へ移動させ、上記所定の操作とは異なる操作によって上記第２係止部材のみを施錠位置から解錠位置へ移動させることを特徴とする。
【０００９】
請求項４に記載の発明は、上記連係部材が、鍵穴から挿入された鍵が一方に回転したときに上記第１係止部材および第２係止部材の双方を施錠位置から解錠位置へ移動させ、鍵穴から挿入された鍵が他方に回転したときに上記第２係止部材のみを施錠位置から解錠位置へ移動することを特徴とする。
【００１０】
本発明において、遊技盤保持枠および透過部材保持枠の枢支は、ヒンジ等の何らかの部材を介して実現してもよいし、あるいは両者の一部を接合させて実現してもよい。
本発明において、第１係止部材（第２係止部材）および第１被係止部（第２被係止部）の構造や形状は特に限定されない。いずれにしても、係止部材が可動可能に設けられ、その一部が可動によって被係止部に係止して、遊技盤保持枠または透過部材保持枠の開放が抑止されるものであればよい。したがって、孔や凹み、あるいは遊技盤保持枠や透過部材保持枠に一体または別部材で設けられた突起等も、本発明の被係止部に相当する。
【００１１】
本発明において、第１係止部材および第２係止部材は施錠位置と解錠位置との間を移動するが、施錠位置において第１係止部材（第２係止部材）が第１被係止部（第２被係止部）に係止して遊技盤保持枠（透過部材保持枠）を施錠し、解錠位置において第１係止部材（第２係止部材）と第１被係止部（第２被係止部）との係止関係が断たれて遊技盤保持枠（透過部材保持枠）が開放可能となれば、その移動の態様は特に限定されない。したがって、第１係止部材（第２係止部材）は、例えば、往復直線運動を行うものであってもよいし、回転運動するものであっても構わない。
【００１２】
また、第１係止部材および第２係止部材は、鍵の操作によって施錠位置から解錠位置へ移動すればよく、解錠位置から施錠位置への移動は、鍵の操作によって行われてもよいし、その他の方法によって行われてもよい。その他の方法としては、例えば、スプリング等の弾性部材によって、第１係止部材や第２係止部材を常に施錠位置に位置させておき、鍵の操作がなされたときに、弾性部材の弾性力に抗して第１係止部材や第２係止部材が施錠位置から解錠位置へ移動するようにすることが考えられる。また、例えば、遊技盤保持枠や透過部材保持枠を閉じたときに、突起等の所定の部材が第１係止部材や第２係止部材に接触するようにしておき、この所定の部材によって第１係止部材や第２係止部材が施錠位置へ移動するようにしてもよい。あるいは、ソレノイドやモーター等の駆動装置を用いて第１係止部材や第２係止部材を解錠位置から施錠位置へ移動させるようにしても構わない。
【発明の効果】
【００１３】
本発明によれば、遊技盤保持枠に設けられた第１被係止部および透過部材保持枠に設けられた第２被係止部に対して、支持体に設けられた第１係止部材および第２係止部材がそれぞれ係止して遊技機の施錠が行われる。つまり、遊技盤保持枠および透過部材保持枠の双方が、支持体に対して直接施錠されるので、特に施錠状態にある透過部材保持枠のがたつきが軽減される。したがって、がたつきによって生じる隙間から工具等を侵入させて行う不正が行われにくくなり、不正対策を強化することができる。
また、シリンダや、シリンダの鍵穴に挿入された鍵に連動して可動する連係部材、さらには第１係止部材および第２係止部材といった各部材が支持体に設けられるので、遊技盤保持枠や透過部材保持枠の重量が軽減され、これら保持枠のがたつきを一層軽減することができる。
【図面の簡単な説明】
【００１４】
【図１】本実施形態の遊技機の斜視図である。
【図２】遊技機の正面図である。
【図３】透過部材保持枠の背面図である。
【図４】透過部材保持枠の背面に設けられる施錠用補強金具の斜視図である。
【図５】遊技盤保持枠の正面図である。
【図６】遊技盤保持枠の背面側の斜視図である。
【図７】遊技盤保持枠の背面側の部分拡大図である。
【図８】透過部材保持枠および遊技盤保持枠が互いに略平行になった状態を示す図である。
【図９】支持体の開放側の側辺を上方から見た図である。
【図１０】支持体の開放側の側辺を内側から見た図である。
【図１１】支持体の開放側の側辺を内側から見た部分拡大図である。
【図１２】連係部材、第１係止部材および第２係止部材を示す斜視図である。
【図１３】支持体の開放側の側辺を内側から見た図であり、遊技盤保持枠が閉じられた状態を示す図である。
【図１４】支持体の開放側の側辺を内側から見た図であり、遊技盤保持枠および透過部材保持枠が閉じられた状態を示す図である。
【図１５】支持体に対して遊技盤保持枠および透過部材保持枠が施錠された状態を、支持体の開放側の側辺の外方から見た側面図である。
【図１６】支持体に対して遊技盤保持枠および透過部材保持枠が施錠された状態を、支持体の開放側の側辺の内側から見た斜視図である。
【図１７】図１６の一点鎖線ａで示す部分の部分拡大図である。
【図１８】図１６の一点鎖線ｂで示す部分の部分拡大図である。
【図１９】図１６の一点鎖線ｃで示す部分の部分拡大図である。
【図２０】図１９を他の方向から見た図である。
【図２１】支持体に対して遊技盤保持枠および透過部材保持枠が閉じられた状態において、所定の解錠操作が行われた状態を支持体の開放側の側辺の内側から見た斜視図である。
【図２２】図２１の一点鎖線ａで示す部分の部分拡大図である。
【図２３】図２１の一点鎖線ｂで示す部分の部分拡大図である。
【図２４】図２１の一点鎖線ｃで示す部分の部分拡大図である。
【図２５】図２４を他の方向から見た図である。
【図２６】支持体に対して遊技盤保持枠および透過部材保持枠が閉じられた状態において、他の解錠操作が行われた状態を支持体の開放側の側辺の内側から見た斜視図である。
【図２７】図２６の一点鎖線ａで示す部分の部分拡大図である。
【図２８】図２６の一点鎖線ｂで示す部分の部分拡大図である。
【図２９】図２６の一点鎖線ｃで示す部分の部分拡大図である。
【図３０】図２９を他の方向から見た図である。
【発明を実施するための形態】
【００１５】
以下、本発明の実施形態について図面を参照しながら具体的に説明する。
図１に示すように、遊技機１は、支持体２と、この支持体２に回転可能に枢支された扉体３とを備えている。支持体２は、上辺２ａ、下辺２ｂ、側辺２ｃ，２ｄによって四辺を構成する枠体からなる。各辺２ａ〜２ｄは、変形や歪みが生じにくい木材やアルミ等の金属を材質とする板部材からなり、略長方形状に囲繞空間が形成されるように連結金具によって連結されている。
そして、これら連結金具のうち、上辺２ａと側辺２ｃとを連結する金具および側辺２ｃと下辺２ｂとを連結する金具には、一対のヒンジ４ａ，４ｂが、遊技機１の前面側に突出した位置で対面するように固定されている。
【００１６】
そして、一対のヒンジ４ａ，４ｂには、透過部材保持枠５および遊技盤保持枠６によって構成される扉体３が回転可能に枢支されている。なお、図１は、支持体２に対して透過部材保持枠５が開放され、遊技盤保持枠６が支持体２に対して閉じられた状態を示している。これら透過部材保持枠５および遊技盤保持枠６は、その背面の一部または全部を支持体２の前面に接触させた状態、言い換えれば、支持体２の四辺の前面に対して略平行な状態を維持したときに施錠される。また、透過部材保持枠５および遊技盤保持枠６は、それぞれ独立して開閉可能なように枢支されており、上記の施錠位置から支持体２の側辺２ｄ側が徐々に開放されるように回転することとなる。
【００１７】
透過部材保持枠５は、支持体２と同様に、上辺５ａ、下辺５ｂ、側辺５ｃ，５ｄからなる四辺によって略長方形状の囲繞空間が形成される枠体からなり、後述する遊技盤１７の前面を覆う透過部材７が囲繞空間に固定される。本実施形態においては、透明のガラス板によって透過部材７を構成しているが、この透過部材７を介して後述する遊技盤１７が見えるものであれば、その材質や形状は特に問わず、例えば合成樹脂等によって構成してもよい。また、透過部材保持枠５の材質も特に問わないが、軽量化や装飾性の向上の目的から合成樹脂性とすることが望ましく、特にこの場合には、図示のように補強金具８を固定して歪みや変形を防止するとよい。
【００１８】
なお、図２に示すように、遊技機１の前面すなわち透過部材保持枠５の前面には、装飾ランプ９、遊技球を発射するための操作ハンドル１０、払い出された賞球を溜める上皿１１、スピーカー１２が固定されている。また、図１に示すように、上記の補強金具８や、上皿１１に賞球を送球する供給路１３、装飾ランプ９の照射方向を変更するためのモーター等を制御する制御基板１４が、透過部材保持枠５の背面側に位置するように設けられている。
図１および図２からも明らかなように、透過部材保持枠５の上辺５ａおよび下辺５ｂは、支持体２の上辺２ａおよび下辺２ｂと長さを等しくしており、透過部材保持枠５を閉じて、支持体２および透過部材保持枠５が略平行になったときに、上辺５ａが上辺２ａに、側辺５ｃ，５ｄが側辺２ｃ，２ｄに、それらの外周面が面一の状態で重なる。したがって、遊技機１を正面から見たときに、支持体２の上辺２ａおよび側辺２ｃ，２ｄは、透過部材保持枠５によって見えなくなる。ただし、側辺５ｃ，５ｄは、側辺２ｃ，２ｄよりも短く形成されており、支持体２の下辺２ｂが遊技機１の正面側に露出する。支持体２の下辺２ｂは、上辺２ａや側辺２ｃ，２ｄに比べて厚く形成されており、その正面側に装飾部材１５が固定されている。
【００１９】
そして、透過部材保持枠５には、側辺５ｃの上方に突出する枢支軸１６ａ、および側辺５ｃの下方に突出する枢支軸１６ｂが固定されており、枢支軸１６ａがヒンジ４ａに、枢支軸１６ｂがヒンジ４ｂに回転可能に枢支されている。これにより、透過部材保持枠５が支持体２に対して開閉可能に支持されることとなる。なお、透過部材保持枠５を支持体２に回転可能に枢支する構造は上記に限らず、例えば、透過部材保持枠５の側辺５ｃの一部を凸状に形成し、この凸状部分をヒンジ４ａ，４ｂや支持体２に直接嵌合させて枢支するようにしてもよい。
【００２０】
また、ヒンジ４ａ，４ｂには、透過部材保持枠５と同様に、遊技盤保持枠６が回転可能に枢支されている。図１に示すように、遊技盤保持枠６は、上辺６ａ、下辺６ｂ、側辺６ｃ，６ｄからなる四辺によって略長方形状の囲繞空間が形成される枠体からなり、この囲繞空間に図２に示す遊技盤１７が固定される。遊技盤１７の前面には、複数の釘や風車、遊技球が入球可能な各種の入賞口、演出用の役物等が設けられており、その略中央部分に形成された孔に演出用の液晶表示装置１８が固定されている。透過部材保持枠５および遊技盤保持枠６が閉じられて遊技が可能な状態では、遊技盤１７に所定の間隔を維持して略平行に透過部材７が対面するとともに、遊技盤１７の前面が透過部材７によって覆われる。
説明の都合上、図１においては遊技盤１７を省略しているが、遊技盤１７の背面には遊技の進行を制御するさまざまな制御基板が固定されている。また、遊技盤保持枠６において、遊技盤１７の固定位置の下方には、スピーカー１９や、操作ハンドル１０の操作に応じて遊技領域に遊技球を発射する発射装置２０等が固定され、その背面にはさらに各種の制御基板が固定されている。
【００２１】
次に、上記の構成からなる透過部材保持枠５および遊技盤保持枠６の施錠機構について説明する。
図３は、透過部材保持枠５の背面図である。上記したように、透過部材保持枠５は、側辺５ｃ側が支持体２に回転可能に枢支されるため、側辺５ｄ側が透過部材保持枠５の開放側となる。
この透過部材保持枠５の開放側の背面には、金属製の施錠用補強部材３０が側辺５ｄに沿って固定されている。この施錠用補強部材３０は、第１部材３１と第２部材３２とに分割されており、これら両部材３１，３２は、所定の間隔を維持して透過部材保持枠５の背面に固定される。図４に示すように、第１部材３１および第２部材３２は、断面をコの字型に屈曲させたコ字状部３１ａ，３２ａを有しており、透過部材保持枠５に固定されたときに、コ字状部３１ａ，３２ａと透過部材保持枠５の背面とによって囲繞される空間が形成されるようにしている。
なお、第１部材３１と第２部材３２との間の間隔には、図３に示すように、透過部材保持枠５に形成されたシリンダ挿通孔２１が臨むようにしている。このシリンダ挿通孔２１は、透過部材保持枠５を閉じたときに、後述するシリンダＳの前面に設けられた鍵穴６５を、透過部材保持枠５の前面に露出させるものである（図２参照）。
【００２２】
そして、第１部材３１のコ字状部３１ａには、切り欠き３３が所定の間隔を維持して一対設けられ、第２部材３２のコ字状部３２ａには、切り欠き３４が設けられている。第１部材３１に設けられた一対の切り欠き３３，３３のそれぞれには、鉤部材からなる第２被係止部３５，３５が設けられている。詳しくは後述するが、この第２被係止部３５，３５は、透過部材保持枠５が閉じられたときに、支持体２に設けられた第２係止部材６３の第２鉤片７４が係止することにより、当該透過部材保持枠５を支持体２に施錠する機能を有している。
また、第２部材３２は、第１部材３１よりも幅広に形成されており、上記のコ字状部３２ａから、その幅方向に連続するコ字状部３２ｂが設けられている。そして、この第２部材３２のコ字状部３２ｂには、貫通孔からなる第３被係止部３６が設けられている。詳しくは後述するが、この第３被係止部３６は、透過部材保持枠５と遊技盤保持枠６とが互いに略平行な状態となったとき（透過部材保持枠５と遊技盤保持枠６とが相互に閉じられたとき）に、遊技盤保持枠６に設けられた第３係止部材４７の第３鉤片４７ｃが係止することにより、当該透過部材保持枠５と遊技盤保持枠６とが互いに離間するのを規制する機能を有している。
【００２３】
図５は、遊技盤保持枠６の正面図、図６は、遊技盤保持枠６の背面側斜視図、図７は、遊技盤保持枠６の背面側の下方の部分拡大図である。なお、図５以降の各図面においては、遊技盤保持枠６に設けられる各部品を省略するとともに、遊技盤１７やスピーカー１９等が配設された際の厚さ等を示す目的で、遊技盤保持枠６を長方形状の板部材として表している。
上記したように、遊技盤保持枠６は、側辺６ｃ側が支持体２に回転可能に枢支されるため、側辺６ｄ側が遊技盤保持枠６の開放側となるが、この側辺６ｄには、その上方から所定の間隔を維持して切り欠き４１〜４４が設けられている。
【００２４】
また、図６に示すように、遊技盤保持枠６の側辺６ｄの背面には、上記切り欠き４１〜４４に沿うようにして金属製の施錠用補強部材４５が固定されている。この施錠用補強部材４５は、側辺６ｄの背面に固定される平面４５ａと、この平面４５ａから遊技盤保持枠６が閉じる方向（背面側）に起立する起立面４５ｂとを備えている。
そして、施錠用補強部材４５には、切り欠き４１，４４において、遊技盤保持枠６の背面側から前面側に向かって突出する鉤部材からなる一対の第１被係止部４６，４６が設けられている。これら第１被係止部４６，４６は、施錠用補強部材４５に一体成形されており、図５に示すように、遊技盤保持枠６の正面視において、切り欠き４１，４４の上部側に露出している。
【００２５】
そして、図６および図７に示すように、施錠用補強部材４５の起立面４５ｂの下端には、第３係止部材４７が可動可能に設けられている。図７からも明らかなように、この第３係止部材４７は、起立面４５ｂの下端近傍の形状に沿った形状からなり、不図示のスプリング等からなる弾性部材の弾性力が下方から上方に向かって付与されて、通常は図示の位置に静止している。また、この第３係止部材４７にはガイド孔４７ａが設けられており、このガイド孔４７ａに、起立面４５ｂに固定されたガイドピン４８を挿通させている。そして、第３係止部材４７は、上記弾性部材の弾性力に抗する力が遊技盤保持枠６の側辺６ｄの上方から下方に向かって作用することにより、上記側辺６ｄの長手方向に沿って下方にスライドすることとなる。
【００２６】
なお、詳しくは後述するが、第３係止部材４７の上端には押し出し片４７ｂが設けられており、この押し出し片４７ｂの上方には、所定の空間が形成されるようにしている。この空間、すなわち押し出し片４７ｂの上方には、遊技盤保持枠６を支持体２に対して閉じたとき、言い換えれば、遊技盤保持枠６が支持体２の四辺に対して略平行な状態となったときに、支持体２に設けられた連係部材６７が配置される。この連係部材６７は、シリンダＳの鍵穴６５から挿入された鍵の操作に連動して可動するもので、遊技盤保持枠６が閉じられた状態で鍵の操作がなされたときに、連係部材６７に連係して押し出し片４７ｂが下方に押し下げられるようにしている。
【００２７】
また、第３係止部材４７の下端には、遊技盤保持枠６が開く方向（遊技盤保持枠６の前面）に突出する第３鉤片４７ｃが設けられており、この第３鉤片４７ｃが貫通する貫通孔４９が、遊技盤保持枠６の側辺６ｄの下端に設けられている。
図８は、透過部材保持枠５および遊技盤保持枠６を互いに略平行な状態としたときに、施錠用補強部材３０の各構成要素と、遊技盤保持枠６の側辺６ｄ側に設けられた各構成要素との相対位置関係を示している。
この図からも明らかなように、透過部材保持枠５および遊技盤保持枠６を互いに略平行な状態としたとき、施錠用補強部材３０の一対の切り欠き３３，３３は、遊技盤保持枠６の切り欠き４１，４２に一致し、施錠用補強部材３０の切り欠き３４は、遊技盤保持枠６の切り欠き４４に一致する。また、施錠用補強部材３０を構成する第１部材３１と第２部材３２との間の間隔は、遊技盤保持枠６の切り欠き４３に一致する。
【００２８】
さらに、上記の状態においては、施錠用補強部材３０を構成する第２部材３２に形成された貫通孔からなる第３被係止部３６が、遊技盤保持枠６の側辺６ｄに形成された貫通孔４９に一致する。そして、遊技盤保持枠６の背面に可動可能に設けられた第３係止部材４７の第３鉤片４７ｃは、上記の第３被係止部３６，４９を貫通して遊技盤保持枠６の前面側に露出することとなる。
【００２９】
なお、透過部材保持枠５と遊技盤保持枠６とを、それら両者が離間した状態から互いに近づく方向に回転させると、第３鉤片４７ｃの先端に設けられた傾斜部４７ｃ１が、施錠用補強部材３０（第２部材３２）に設けられた貫通孔からなる第３被係止部３６の上辺に接触する寸法関係が維持されている。したがって、透過部材保持枠５と遊技盤保持枠６とが互いに近づく過程で、貫通孔からなる第３被係止部３６の上辺が、下方から上方に向かって付与される弾性部材の弾性力に抗して上記傾斜部４７ｃ１を下方に押し下げる。このように、透過部材保持枠５と遊技盤保持枠６とが互いに近づく過程では、第３鉤片４７ｃ（第３係止部材４７）が下方に押し下げられながら、第３被係止部３６を貫通して施錠用補強部材３０（第２部材３２）の前面に進入することとなる。
【００３０】
そして、透過部材保持枠５と遊技盤保持枠６とが略平行な状態となったところで、第３鉤片４７ｃの傾斜部４７ｃ１が完全に施錠用補強部材３０（第２部材３２）の前面側に露出するとともに、再び第３係止部材４７を上方に押し上げる弾性部材の弾性力によって、第３鉤片４７ｃが上方に移動する。これにより、第３鉤片４７ｃが、施錠用補強部材３０（第２部材３２）に設けられた第３被係止部３６の上辺に掛け止められ、両者の離間が規制されることとなる。
なお、透過部材保持枠５と遊技盤保持枠６との離間が規制される位置が第３係止部材４７の規制位置であり、透過部材保持枠５と遊技盤保持枠６との離間が可能となる位置が第３係止部材４７の開放位置である。
【００３１】
また、施錠用補強部材３０の一対の切り欠き３３のうち上方に位置する切り欠き３３と、切り欠き３４とには、幅方向に切り欠かれた逃げ孔３３ａ，３４ａがそれぞれ連続して形成されている。そして、透過部材保持枠５と遊技盤保持枠６とが略平行な状態となったときに、遊技盤保持枠６の背面側から前面側に突出する第１被係止部４６の先端が、これらの逃げ孔３３ａ，３４ａを貫通して、施錠用補強部材３０の前面側に僅かに突出するようにしている。
上記の構成からなる透過部材保持枠５および遊技盤保持枠６を支持体に対して閉じたとき、すなわち、透過部材保持枠５および遊技盤保持枠６を支持体２の四辺に対して略平行な状態としたときに、第１被係止部４６，４６および第２被係止部３５，３５に、後述する第１係止部材６２の第１鉤片７３および第２係止部材６３の第２鉤片７４が係止することによって、遊技機１の施錠がなされる。
以下では、これら第１係止部材６２および第２係止部材６３について詳細に説明する。
【００３２】
図９は、支持体２の側辺２ｄを上方から見た図であり、図１０は、支持体２の側辺２ｄを内側から見た斜視図である。
図９に示すように、側辺２ｄは薄板状の部材からなり、強度を向上させるために背面側（図中左側）を内側に９０度屈曲させたＬ字形の断面形状を有している。この側辺２ｄの内側面には、当該側辺２ｄと所定の間隔を維持して略平行な状態で対面するように固定板６０が固定されている。この固定板６０は、側辺２ｄとの間に架け渡された複数のガイドピンｐをかしめることによって側辺２ｄに固定される。また、固定板６０と側辺２ｄとの間に形成される空間には、側辺２ｄの長手方向に往復動可能なスライド板６１が設けられており、上記のガイドピンｐは、このスライド板６１をガイドする機能を併せもっている。
また、詳しくは後述するが、スライド板６１と固定板６０との間には、遊技盤保持枠６を施錠するための第１係止部材６２と、透過部材保持枠５を施錠するための第２係止部材６３とが配置されている。これら第１係止部材６２および第２係止部材６３は、上記のガイドピンｐにガイドされながら、スライド板６１と一体となって側辺２ｄの長手方向に可動する。
【００３３】
さらに、側辺２ｄの内側面には、当該側辺２ｄと所定の間隔を維持して略平行な状態で対面する薄板状の被覆部材６４が設けられている。この被覆部材６４も、固定板６０と同様に、ガイドピンｐの先端をかしめることによって側辺２ｄおよび固定板６０に固定される。これにより、固定板６０、スライド板６１、第１係止部材６２および第２係止部材６３が、側辺２ｄと被覆部材６４との間に収容されることとなる。このように、スライド板６１、第１係止部材６２および第２係止部材６３を収容することで、隙間から工具等を侵入させて不正に第１係止部材６２や第２係止部材６３を移動させ、透過部材保持枠５や遊技盤保持枠６の解錠がなされないようにしている。
なお、本実施形態においては、側辺２ｄとは別部材からなる被覆部材６４によって、スライド板６１、第１係止部材６２および第２係止部材６３を収容するようにしたが、断面コ字状に成形した側辺２ｄ内に、スライド板６１、第１係止部材６２および第２係止部材６３を収容するようにしてもよい。いずれにしても、支持体２の外周面に相当する側辺２ｄと、当該側辺２ｄに対向する被覆部とが設けられ、側辺２ｄと被覆部との間にスライド板６１、第１係止部材６２および第２係止部材６３が収容されれば、不正対策を強化することができる。
【００３４】
また、図１１は、側辺２ｄを内側から見た部分拡大図であり、上記の被覆部材６４を取り外して、固定板６０が露出した状態を示している。この図に示すように、固定板６０には、支持体２の前面側（遊技盤保持枠５および透過部材保持枠６が開く方向）に向かって突出するシリンダＳが固定されている。
このシリンダＳの突出方向先端面には、鍵を挿入するための鍵穴６５が形成されており、この鍵穴６５に挿入された所定の鍵の操作によって回転するピン６６の先端を、シリンダＳの基端側から突出させている（図９）。
そして、シリンダＳの基端側には、ピン６６の先端に固定された連係部材６７が設けられている。したがって、鍵穴６５に所定の鍵を挿入して回転させると、ピン６６を介して当該鍵の操作に連動して連係部材６７が回転することとなる。
【００３５】
この連係部材６７は、ピン６６が固定される回転中心から半径方向外方に向かって等間隔で突出する３つの回転伝達片６７ａ，６７ｂ，６７ｃを備えている。また、固定板６０において、シリンダＳの基端に隣接する位置には孔６８が設けられており、上記３つの回転伝達片６７ａ，６７ｂ，６７ｃのうち回転伝達片６７ａ，６７ｂが、孔６８を介して固定板６０よりも外方に進入するようにしている。一方、回転伝達片６７ｃは、図示のとおり、固定板６０よりも内方に位置するとともに、回転伝達片６７ｃの面が支持体２の上辺２ａおよび下辺２ｂと略平行となる（側辺２ｃ，２ｄと略直交する）ように静止している。
そして、図１０は、支持体２の側辺２ｄに被覆部材６４が固定された状態を示しているが、この図に示すとおり、被覆部材６４にも、固定板６０の孔６８に一致する孔６９が形成されており、連係部材６７の回転伝達片６７ａ，６７ｂが接触しないようにしている。
また、被覆部材６４には、シリンダＳの基端面および連係部材６７が臨む位置に、連係部材６７の回転伝達片６７ａ，６７ｂ，６７ｃを覆うカバー部材７０が固定されており、外部から不正な操作が行われないようにしている。
【００３６】
図１２は、支持体２の側辺２ｄを内側から見た図であり、上記した被覆部材６４および固定板６０を取り外した状態を示している。上記したとおり、側辺２ｄの内側面には、その長手方向に沿って往復動可能なようにスライド板６１が設けられており、このスライド板６１に、連係部材６７の回転伝達片６７ａ，６７ｂのそれぞれに対面する押し出し片６１ａ，６１ｂが設けられている。
この押し出し片６１ａ，６１ｂおよび回転伝達片６７ａ，６７ｂは、連係部材６７が図中ｘ方向に回転したときには、回転伝達片６７ａが押し出し片６１ａを上方に押し上げ、連係部材６７が図中ｙ方向に回転したときには、回転伝達片６７ｂが押し出し片６１ｂを下方に押し下げるといった関係を有している。
したがって、シリンダＳの鍵穴６５から挿入した所定の鍵を図中ｘ方向に回転させると、連係部材６７を介してスライド板６１が上方に移動し、図中ｙ方向に回転させると、連係部材６７を介してスライド板６１が下方に移動する。このように、スライド板６１は、鍵の操作に連動して図示の中立位置から上方または下方に移動することとなる。なお、側辺２ｄには、不図示のスプリング等の弾性部材が設けられており、この弾性部材の弾性力を常時スライド板６１に作用させて、スライド板６１が図示の中立位置に保持されるようにしている。
【００３７】
そして、スライド板６１と固定板６０（図１２においては不図示）との間には、一対の第１係止部材６２，６２および一対の第２係止部材６３，６３が移動可能に挟持されている。
第１係止部材６２および第２係止部材６３は薄板状の長板部材からなり、その長手方向とスライド板６１の長手方向とを一致させて、第１係止部材６２、第２係止部材６３およびスライド板６１が略平行となるように配置されている。また、第１係止部材６２は、側辺２ｄの前面側（図中右側）において、スライド板６１の上端と下端とにそれぞれ配置されている。一方、第２係止部材６３は、側辺２ｄの背面側（図中左側）において、第１係止部材６２よりもスライド板６１の長手方向中心寄りに配置されている。
【００３８】
一対の第２係止部材６３，６３は、それぞれ上端をスライド板６１に設けられた固定片７１，７１に固定されているため、スライド板６１と一体となって上下方向に移動する。
これに対して、一対の第１係止部材６２，６２は、スライド板６１が下方に移動した場合には、これと一体となって下方に移動するが、スライド板６１が上方に移動した場合には、図示の位置に静止したままとなる。具体的には、上方に位置する一方の第１係止部材６２は、その上部に連結孔６２ｂが形成されており、この連結孔６２ｂの下面に、スライド板６１に設けられた連結片７２を接触させている。したがって、スライド板６１が下方に移動した場合には、連結片７２が連結孔６２ｂの下面を図中下方に押し下げるように作用し、一方の第１係止部材６２はスライド板６１と一体となって図中下方に移動することとなる。また、このとき下方に位置する他方の第１係止部材６２は、その上端面に押し出し片６１ｂを接触させているため、この押し出し片６１ｂによってスライド板６１と一体となって図中下方に移動することとなる。
なお、一対の第１係止部材６２，６２には、不図示のスプリング等の弾性部材の弾性力が常時付与されており、この弾性力によって、通常は図示の位置に静止している。
【００３９】
また、スライド板６１が上方に移動した場合には、連結片７２は一方の第１係止部材６２に形成された連結孔６２ｂ内を移動するため、この一方の第１係止部材６２は、スライド板６１が移動しても図示の位置に静止したままとなる。そして、スライド板６１が上方に移動した場合には、押し出し片６１ｂと他方の第１係止部材６２の上端面とが離間するため、やはり、図示の位置に静止したままとなる。
このように、本実施形態においては、シリンダＳに挿入した鍵をｙ方向に回転させた場合には、スライド板６１が下方に移動するとともに、これと一体となって第１係止部材６２，６２および第２係止部材６３，６３が下方に移動する。また、シリンダＳに挿入した鍵をｘ方向に回転させた場合には、スライド板６１が上方に移動するとともに、これと一体となって第２係止部材６３，６３のみが上方に移動し、第１係止部材６２，６２は図示の位置に静止したままとなる。
なお、詳しくは後述するが、上記第１係止部材６２には側辺２ｄの前面側に突出する第１鉤片７３が一体に成形されており、第２係止部材６３には側辺２ｄの前面側に突出する第２鉤片７４が一体に成形されている。
【００４０】
また、図１３は、支持体２の側辺２ｄを内側から見た図であり、遊技盤保持枠６が閉じられた状態を示しており、図１４は、支持体２の側辺２ｄを内側から見た図であり、遊技盤保持枠６および透過部材保持枠５が閉じられた状態を示している。ただし、図１４においては、透過部材保持枠５および遊技盤保持枠６にそれぞれ設けられた施錠用補強部材３０，４５のみを示しており、透過部材保持枠５および遊技盤保持枠６は省略している。
図１３、図１４に示すように、遊技盤保持枠６を閉じた状態では、遊技盤保持枠６の側辺６ｄの背面に設けられた第３係止部材４７が、支持体２の側辺２ｄに設けられた連係部材６７の下方に位置する関係を維持している。より詳細には、遊技盤保持枠６を閉じた状態では、連係部材６７の回転伝達片６７ｃの真下に第３係止部材４７が位置するとともに、回転伝達片６７ｃの下面に、第３係止部材４７の押し出し片４７ｂの上面がちょうど面接触するか、または僅かな隙間をもって臨んでいる。
【００４１】
したがって、遊技盤保持枠６を閉じた状態で、上記と同様にシリンダＳの鍵穴６５に挿入した所定の鍵をｘ方向に回転させると、回転伝達片６７ｃが押し出し片４７ｂを下方に押し下げ、第３係止部材４７が図中下方に移動することとなる。このようにして、第３係止部材４７が図中下方に押し下げられれば、第３鉤片４７ｃと、透過部材保持枠５に設けられた貫通孔からなる第３被係止部３６との係止関係が断たれて、遊技盤保持枠６と透過部材保持枠５とを互いに離間させることが可能となる。
【００４２】
次に、支持体２に対して透過部材保持枠５および遊技盤保持枠６が閉じられて、支持体２の四辺の前面に対して透過部材保持枠５および遊技盤保持枠６が略平行となった状態、すなわち施錠状態において解錠操作がなされた場合について説明する。
図１５、図１６は、支持体２に対して透過部材保持枠５および遊技盤保持枠６が施錠された状態を示し、図１５は、支持体２の側辺２ｄの外側から見た側面図、図１６は、支持体２の側辺２ｄの内側を示す斜視図である。ただし、図１５、図１６においては、遊技盤保持枠６の側辺６ｄおよび透過部材保持枠５の施錠用補強部材３０のみを一体に示し、遊技盤保持枠６および透過部材保持枠５の他の部材は省略している。なお、図１６においては、説明の都合上、支持体２の側辺２ｄから、固定板６０および被覆部材６４を取り外した状態を示している。
【００４３】
図１６に示すように、透過部材保持枠５および遊技盤保持枠６が支持体２に施錠された状態では、すでに説明したとおり、スライド板６１が図示の中立位置にあり、第１係止部材６２，６２および第２係止部材６３，６３は図示の施錠位置にある。また、遊技盤保持枠６の背面に設けられた第３係止部材４７は、連係部材６７の下方において図示の規制位置にある。このとき、図１６において一点鎖線ａ〜ｃで囲まれた部分を、図１７〜図２０に示す。
【００４４】
図１７は、図１６の一点鎖線ａで囲まれた部分の部分拡大図である。この図に示すように、第１係止部材６２が施錠位置にあるときには、第１係止部材６２に設けられた第１鉤片７３が、遊技盤保持枠６に設けられた第１被係止部４６に係止している。より詳細には、第１鉤片７３は、突出方向先端から上方に向かって傾斜する傾斜部７３ａと、この傾斜部７３ａから下方に連続する当接部７３ｂとを有しており、この当接部７３ｂに第１被係止部４６の先端が接触状態で係止している。したがって、遊技盤保持枠６を支持体２に対して開放しようとしても、遊技盤保持枠６に設けられた第１被係止部４６が、支持体２に設けられた第１鉤片７３の当接部７３ｂに衝突し、遊技盤保持枠６を開放することができなくなっている。
【００４５】
また、第２係止部材６３が施錠位置にあるときには、第２係止部材６３に設けられた第２鉤片７４が、透過部材保持枠５の施錠用補強部材３０に設けられた第２被係止部３５に係止している。より詳細には、第２鉤片７４は、突出方向先端に９０度屈曲した当接部７４ａを有しており、この当接部７４ａに、鉤部材からなる第２被係止部３５の先端が臨んで係止している。したがって、透過部材保持枠５を支持体２に対して開放しようとしても、透過部材保持枠５に設けられた第２被係止部３５が、支持体２に設けられた第２鉤片７４の当接部７４ａに衝突し、透過部材保持枠５を開放することができなくなっている。
なお、図１８は、図１６の一点鎖線ｂで囲まれた部分の部分拡大図であるが、この図に示すように、一対の第２係止部材６３，６３のうち下方に位置する第２係止部材６３の第２鉤片７４も、上記と同様に第２被係止部３５に係止している。
【００４６】
図１９および図２０は、図１６の一点鎖線ｃで囲まれた部分の部分拡大図である。一対の第１係止部材６２，６２は常に同じ動きをするため、下方にある第１係止部材６２も上記と同様に施錠位置にある。そして、下方にある第１係止部材６２が施錠位置にあるときには、この第１係止部材６２に設けられた第１鉤片７３が、上記と同様に、遊技盤保持枠６に設けられた第１被係止部４６に係止している。なお、この第１鉤片７３の構造や第１被係止部４６との係止関係は上記と同様であるため、ここでは詳細な説明を省略する。
一方、支持体２に対して透過部材保持枠５および遊技盤保持枠６が施錠された状態では、遊技盤保持枠６の背面に設けられた第３係止部材４７が、図示の規制位置にある。この規制位置においては、第３係止部材４７の第３鉤片４７ｃが、透過部材保持枠５に設けられた施錠用補強部材３０（第２部材３２）の貫通孔からなる第３被係止部３６に係止している。より詳細には、第３鉤片４７ｃは、突出方向先端から上方に向かって傾斜する傾斜部４７ｃ１と、この傾斜部４７ｃ１から下方に連続する当接部４７ｃ２とを有しており、この当接部４７ｃ２が、施錠用補強部材３０（第２部材３２）の貫通孔からなる第３被係止部３６に係止している。このように、第３鉤片４７ｃによって、透過部材保持枠５は、遊技盤保持枠６に対しても開放が規制されることとなる。
【００４７】
以上のようにして、遊技盤保持枠６は、支持体２に設けられた第１係止部材６２，６２が施錠位置にあるときに、これら第１係止部材６２，６２の第１鉤片７３，７３によって支持体２に施錠される。また、透過部材保持枠５は、支持体２に設けられた第２係止部材６３，６３が施錠位置にあるときに、これら第２係止部材６３，６３の第２鉤片７４，７４によって支持体２に施錠される。しかも、このとき、遊技盤保持枠６に設けられた第３係止部材４７が規制位置にあるため、透過部材保持枠５は、第３係止部材４７の第３鉤片４７ｃによっても、その開放が制限されることとなる。
【００４８】
上記の施錠状態から、シリンダＳの鍵穴６５に挿入した所定の鍵を図中ｘ方向に回転させると、第１係止部材６２，６２、第２係止部材６３，６３および第３係止部材４７は、図２１に示すように位置する。
すなわち、シリンダＳに挿入された所定の鍵が図中ｘ方向に回転すると、この鍵の操作に連動して連係部材６７が一体となって図中ｘ方向に回転する。すると、連係部材６７の回転伝達片６７ａが、スライド板６１を中立位置に保持しようとする不図示の弾性部材の弾性力に抗して、スライド板６１の押し出し片６１ａを図中上方に押し上げる。これにより、スライド板６１が、図示の位置まで上方に移動する。
このようにしてスライド板６１が上方に移動すると、固定片７１を介してスライド板６１に固定された第２係止部材６３，６３も一体となって図中上方の解錠位置まで移動する。
【００４９】
このとき、スライド板６１の上部に設けられた連結片７２は、施錠位置に静止する第１係止部材６２に形成された連結孔６２ｂ内で上方に移動する。また、スライド部材６１が上方に移動することから、当該スライド部材６１に設けられた押し出し片６１ｂが、施錠位置に静止する下方の第１係止部材６２の上端から離間する。したがって、両第１係止部材６２，６２は、不図示の弾性部材の弾性力によって図示の施錠位置に静止したままとなる。
そして、上記のようにして連係部材６７が図中ｘ方向に回転すると、回転伝達片６７ｃが、遊技盤保持枠６の背面に可動可能に設けられた第３係止部材４７の押し出し片４７ｂを図中下方に押し下げる。これにより、第３係止部材４７は、図１６に示す規制位置から、図２１に示す解放位置まで下方に移動する。
このように、シリンダＳに挿入した鍵を図中ｘ方向に回転させたときの、第１係止部材６２，６２、第２係止部材６３，６３および第３係止部材４７の係止状態を図２２〜図２５に示す。
【００５０】
図２２は、図２１の一点鎖線ａで囲まれた部分の部分拡大図である。この図に示すように、シリンダＳに挿入した鍵をｘ方向に回転させたときには、第２係止部材６３が施錠位置から解錠位置へと上方に移動する。これにより、第２係止部材６３に設けられた第２鉤片７４は、透過部材保持枠５の施錠用補強部材３０（第１部材３１）に設けられた鉤片からなる第２被係止部３５の上方にずれて、第２鉤片７４と第２被係止部３５との係止関係が断たれることとなる。
一方で、シリンダＳに挿入した鍵をｘ方向に回転させたときには、上記したとおり、第１係止部材６２が施錠位置に静止したままとなっており、第１鉤片７３は、遊技盤保持枠６に設けられた第１被係止部４６に係止したままになっている。
なお、図２３は、図２１の一点鎖線ｂで囲まれた部分の部分拡大図であるが、この図に示すように、一対の第２係止部材６３，６３のうち下方に位置する第２係止部材６３の第２鉤片７４も、上記と同様に第２被係止部３５との係止関係が断たれている。
【００５１】
図２４および図２５は、図２１の一点鎖線ｃで囲まれた部分の部分拡大図である。一対の第１係止部材６２，６２は常に同じ動きをするため、下方にある第１係止部材６２も上記と同様に施錠位置にある。そして、下方にある第１係止部材６２が施錠位置にあるときには、この第１係止部材６２に設けられた第１鉤片７３が、上記と同様に、遊技盤保持枠６に設けられた第１被係止部４６に係止している。
一方、シリンダＳに挿入した鍵をｘ方向に回転させたときには、遊技盤保持枠６の背面に設けられた第３係止部材４７が、図１９および図２０に示す規制位置から図２４および図２５に示す開放位置まで下方に移動する。このように、第３係止部材４７が開放位置へ移動すると、第３係止部材４７と一体となって第３鉤片４７ｃも下方へ移動し、当該第３鉤片４７ｃと、透過部材保持枠５に設けられた施錠用補強部材３０（第２部材３２）の貫通孔からなる第３被係止部３６との係止関係が断たれる。
【００５２】
以上のようにして、シリンダＳに挿入された鍵がｘ方向に回転した場合には、第１係止部材６２，６２が施錠位置に静止したままとなり、その結果、支持体２に設けられた第１係止部材６２，６２の第１鉤片７３，７３が、遊技盤保持枠６に設けられた第１被係止部４６，４６に係止したままとなる。したがって、遊技盤保持枠６は、支持体２に施錠されたままとなり、その開放が制限されたままとなる。
また、シリンダＳに挿入された鍵がｘ方向に回転した場合には、第２係止部材６３，６３が施錠位置から解錠位置へ移動し、その結果、支持体２に設けられた第２係止部材６３，６３の第２鉤片７４，７４と、透過部材保持枠５に設けられた第２被係止部３５，３５との係止関係が断たれる。しかも、これと同時に、第３係止部材４７が規制位置から開放位置へ移動するので、遊技盤保持枠６に設けられた第３係止部材４７の第３鉤片４７ｃと、透過部材保持枠５に設けられた第３被係止部３６との係止関係も断たれる。したがって、透過部材保持枠５は、支持体２に対して解錠されるとともに、遊技盤保持枠６に対して開放可能となり、遊技盤保持枠６が施錠されたまま、透過部材保持枠５のみを開くことが可能となる。
【００５３】
一方、図１６〜図２０に示す上記の施錠状態から、シリンダＳの鍵穴６５に挿入した所定の鍵を図中ｙ方向に回転させると、第１係止部材６２，６２、第２係止部材６３，６３および第３係止部材４７は、図２６に示すように位置する。
すなわち、シリンダＳに挿入された所定の鍵が図中ｙ方向に回転すると、この鍵の操作に連動して連係部材６７が一体となって図中ｙ方向に回転する。すると、連係部材６７の回転伝達片６７ｂが、スライド板６１を中立位置に保持しようとする不図示の弾性部材の弾性力に抗して、スライド板６１の押し出し片６１ｂを図中下方に押し下げる。これにより、スライド板６１が、図示の位置まで下方に移動する。
このようにしてスライド板６１が下方に移動すると、固定片７１を介してスライド板６１に固定された第２係止部材６３，６３も一体となって図中下方の解錠位置まで移動する。
【００５４】
このとき、スライド板６１の上部に設けられた連結片７２は、施錠位置に静止する第１係止部材６２に形成された連結孔６２ｂの下面を図中下方に押し下げるように作用する。また、上記のようにスライド部材６１の押し出し片６１ｂが下方に押し下げられると、当該押し出し片６１ｂの下面に接触する第１係止部材６２も下方に押し下げられる。このように、両第１係止部材６２，６２が、スライド部材６１と一体となって施錠位置から解錠位置へと下方に移動することとなる。
そして、上記のようにして連係部材６７が図中ｙ方向に回転すると、回転伝達片６７ｃが、遊技盤保持枠６の背面に可動可能に設けられた第３係止部材４７の押し出し片４７ｂと離間するように上方へ向かって回転する。したがって、第３係止部材４７は、図１６〜図２０に示すのと同様に、規制位置に静止したままとなる。
このように、シリンダＳに挿入した鍵を図中ｙ方向に回転させたときの、第１係止部材６２，６２、第２係止部材６３，６３および第３係止部材４７の係止状態を図２７〜図３０に示す。
【００５５】
図２７は、図２６の一点鎖線ａで囲まれた部分の部分拡大図である。この図に示すように、シリンダＳに挿入した鍵をｙ方向に回転させたときには、第２係止部材６３が施錠位置から解錠位置へと下方に移動する。これにより、第２係止部材６３に設けられた第２鉤片７４は、透過部材保持枠５の施錠用補強部材３０（第１部材３１）に設けられた鉤片からなる第２被係止部３５の下方にずれて、第２鉤片７４と第２被係止部３５との係止関係が断たれることとなる。
また、シリンダＳに挿入した鍵をｙ方向に回転させたときには、上記したとおり、第１係止部材６２が施錠位置から解錠位置へと下方に移動する。これにより、第１係止部材６２に設けられた第１鉤片７３が下方へ移動し、当該第１鉤片７３と、遊技盤保持枠６に設けられた第１被係止部４６との係止関係が断たれることとなる。
なお、図２８は、図２６の一点鎖線ｂで囲まれた部分の部分拡大図であるが、この図に示すように、一対の第２係止部材６３，６３のうち下方に位置する第２係止部材６３の第２鉤片７４も、上記と同様に第２被係止部３５との係止関係が断たれている。
【００５６】
図２９および図３０は、図２６の一点鎖線ｃで囲まれた部分の部分拡大図である。一対の第１係止部材６２，６２は常に同じ動きをするため、下方にある第１係止部材６２も上記と同様に施錠位置から解錠位置へ移動する。そして、下方にある第１係止部材６２が解錠位置に移動すれば、この第１係止部材６２に設けられた第１鉤片７３と、遊技盤保持枠６に設けられた第１被係止部４６との係止関係も断たれることとなる。
一方、シリンダＳに挿入した鍵をｙ方向に回転させたときには、遊技盤保持枠６の背面に設けられた第３係止部材４７は、図１９および図２０に示すのと同様に、不図示の弾性部材の弾性力によって、図２４および図２５に示す規制位置に静止したままとなる。このように、第３係止部材４７が規制位置にあれば、第３鉤片４７ｃが、透過部材保持枠５に設けられた施錠用補強部材３０（第２部材３２）の貫通孔からなる第３被係止部３６に係止したままとなる。
【００５７】
以上のようにして、シリンダＳに挿入された鍵がｙ方向に回転した場合には、第１係止部材６２，６２が解錠位置へ移動し、その結果、支持体２に設けられた第１係止部材６２，６２の第１鉤片７３，７３と、遊技盤保持枠６に設けられた第１被係止部４６，４６との係止関係が断たれることとなる。したがって、遊技盤保持枠６は、支持体２から解錠され、その開放が可能となる。
また、シリンダＳに挿入された鍵がｙ方向に回転した場合には、第２係止部材６３，６３も施錠位置から解錠位置へ移動し、その結果、支持体２に設けられた第２係止部材６３，６３の第２鉤片７４，７４と、透過部材保持枠５に設けられた第２被係止部３５，３５との係止関係が断たれる。したがって、透過部材保持枠５も支持体２から解錠され、その開放が可能となる。
【００５８】
ただし、シリンダＳに挿入された鍵がｙ方向に回転した場合には、第３係止部材４７が規制位置に静止したままとなるので、遊技盤保持枠６に設けられた第３係止部材４７の第３鉤片４７ｃと、透過部材保持枠５に設けられた第３被係止部３６との係止関係は維持されたままとなっている。つまり、透過部材保持枠５と遊技盤保持枠６とは、互いに離反するような回転が規制されたままとなっている。したがって、透過部材保持枠５と遊技盤保持枠６とは、支持体２から一体的に開放することが可能となり、それぞれを独立して開放することはできない。
仮に、透過部材保持枠５と遊技盤保持枠６とを独立してそれぞれ開放したい場合には、シリンダＳに挿入された鍵をｙ方向に回転させて、透過部材保持枠５および遊技盤保持枠６を支持体２から一体的に開放した後、遊技盤保持枠６の背面に位置する第３係止部材４７を下方に押し下げればよい。
【００５９】
透過部材保持枠５と遊技盤保持枠６とを支持体２から開放したときに、シリンダＳ、第１係止部材６２，６２および第２係止部材６３，６３は支持体２に残されるので、透過部材保持枠５および遊技盤保持枠６の開放側の重量を軽減することができる。しかも、施錠および解錠用の各部材が支持体２に残されても、第３係止部材４７は遊技盤保持枠６に設けられているので、透過部材保持枠５および遊技盤保持枠６の開放後に、上記のように第３係止部材４７を下方に押し下げるだけで、容易に両者を互いに開放することが可能となる。
なお、本実施形態においては、遊技盤保持枠６に第３係止部材４７が設けられ、透過部材保持枠５に第３被係止部４７が設けられているが、これとは逆に、遊技盤保持枠に第３被係止部を設け、透過部材保持枠に第３係止部材を設けても構わない。いずれにしても、遊技盤保持枠および透過部材保持枠を支持体に対して閉じたときに、第３係止部材が連係部材に連係可能となれば、第３係止部材および第３被係止部は、遊技盤保持枠および透過部材保持枠のいずれに設けても構わない。
【００６０】
なお、本実施形態においては、第１係止部材および第２係止部材をそれぞれ一対設けるようにしたが、これらはそれぞれ１つずつであっても構わない。
また、本実施形態においては、鍵穴６５に挿入された所定の鍵を一方に回転させたときに透過部材保持枠５のみが解錠され、他方に回転させたときに透過部材保持枠５および遊技盤保持枠６が解錠されることとしたが、解錠操作は上記に限らない。例えば、鍵穴に挿入された所定の鍵を、挿入方向や挿入方向に直交する方向に移動させるような操作によって、透過部材保持枠５や遊技盤保持枠６が解錠されるようにしてもよい。ただし、この場合にも、透過部材保持枠５のみを解錠する操作と、透過部材保持枠５および遊技盤保持枠６を同時に解錠する操作とが異なるのは当然である。
【００６１】
そして、本実施形態においては、鍵穴６５から挿入された所定の鍵の操作に連動して、連係部材６７が回転するとともに、この連係部材６７の回転運動に連動して第１係止部材６２，６２および第２係止部材６３，６３が往復動することとしたが、これらの動作は上記実施形態に限らない。例えば、連係部材６７を、鍵の操作に連動して往復動するようにしてもよいし、また、第１係止部材６２，６２および第２係止部材６３，６３が回転運動するものであってもよい。
いずれにしても、各構成部材の形状や構造、作用は上記実施形態に限定されることはなく、適宜設計すればよい。
【符号の説明】
【００６２】
１  遊技機
２  支持体
２ａ  上辺
２ｂ  下辺
２ｃ  枢支側の側辺
２ｄ  開放側の側辺
５  透過部材保持枠
６  遊技盤保持枠
７  透過部材
１７  遊技盤
３５  第２被係止部
３６  第３被係止部
４６  第１被係止部
４７  第３係止部材
６２  第１係止部材
６３  第２係止部材
６４  被覆部材
６５  鍵穴
６７  連係部材
Ｓ  シリンダ
【図１】
2010253039.tif 000003
【図２】
2010253039.tif 000004
【図３】
2010253039.tif 000005
【図４】
2010253039.tif 000006
【図５】
2010253039.tif 000007
【図６】
2010253039.tif 000008
【図７】
2010253039.tif 000009
【図８】
2010253039.tif 000010
【図９】
2010253039.tif 000011
【図１０】
2010253039.tif 000012
【図１１】
2010253039.tif 000013
【図１２】
2010253039.tif 000014
【図１３】
2010253039.tif 000015
【図１４】
2010253039.tif 000016
【図１５】
2010253039.tif 000017
【図１６】
2010253039.tif 000018
【図１７】
2010253039.tif 000019
【図１８】
2010253039.tif 000020
【図１９】
2010253039.tif 000021
【図２０】
2010253039.tif 000022
【図２１】
2010253039.tif 000023
【図２２】
2010253039.tif 000024
【図２３】
2010253039.tif 000025
【図２４】
2010253039.tif 000026
【図２５】
2010253039.tif 000027
【図２６】
2010253039.tif 000028
【図２７】
2010253039.tif 000029
【図２８】
2010253039.tif 000030
【図２９】
2010253039.tif 000031
【図３０】
2010253039.tif 000032